(57)【要約】【課題】複数の無線機の名称を自動的に登録し、表示し得る無線機を提供する。【解決手段】送信用として機能する無線機は、複数の無線機のＩＤ及び名称を含む登録情報を、メッセージ情報とともに送信する。受信用として機能する無線機は、受信した登録情報から送信用の無線機のＩＤ及び名称を登録及び表示するとともに、当該登録情報に含まれる他の無線機のＩＤ及び名称を登録する。【選択図】図２
2009010631.tif 000002
【特許請求の範囲】
【請求項１】
メッセージ情報の送信を行う送信手段と、
一又は複数の無線機固有のＩＤ情報及び当該ＩＤ情報に対応した名称情報を含む登録情報を生成し、当該登録情報を前記メッセージ情報に含ませて前記送信手段により送信させる制御手段と、
を備える無線機。
【請求項２】
送信元無線機から送信されたメッセージ情報を受信する受信手段と、
前記受信したメッセージ情報を記憶する記憶手段と、
表示手段と、
前記記憶手段から受信したメッセージ情報を読み出し、当該読み出したメッセージ情報内に、一又は複数の無線機固有のＩＤ情報及び当該ＩＤ情報に対応した名称情報が含まれている場合に、前記送信元無線機の名称を前記表示手段に表示させる制御手段と、
を備える無線機。
【請求項３】
前記制御手段は、前記記憶手段に予め記憶されている前記メッセージ情報に代えて、前記受信手段を介して受信した前記メッセージ情報を記憶する請求項２に記載の無線機。
【請求項４】
メッセージ情報の送信を行う送信手段と、
一又は複数の無線機固有のＩＤ情報及び当該ＩＤ情報に対応した名称情報を含む登録情報を生成し、当該登録情報を前記メッセージ情報に含ませて前記送信手段により送信させる第１の制御手段と、
送信元無線機から送信されたメッセージ情報を受信する受信手段と、
前記受信したメッセージ情報を記憶する記憶手段と、
表示手段と、
前記記憶手段に予め記憶されている前記メッセージ情報に代えて、前記受信手段を介して受信した前記メッセージ情報を記憶するとともに、前記記憶手段から受信したメッセージ情報を読み出し、当該読み出したメッセージ情報内に、一又は複数の無線機固有のＩＤ情報及び当該ＩＤ情報に対応した名称情報が含まれている場合に、前記送信元無線機の名称を前記表示手段に表示させる第２の制御手段と、
を備える無線機。
【発明の詳細な説明】
【技術分野】
【０００１】
本発明は、無線機に関する。
【背景技術】
【０００２】
現在、無線機は主に業務用として様々な場面で広く利用されている。例えば、イベント設営、警備業務、建設現場等が挙げられる。また、業務用として無線機を使用する場合、１度に使用する無線機の使用台数は１００台〜２００台程度となることがある。こうした場面における無線機の使用は、同時に複数人に対して通信を行うことができるという点でメリットが大きい。また、送受信する際に行うユーザの操作が簡易であり、迅速なコミュニケーションを図ることができるという点も特徴的である。
【０００３】
業務用として無線機を使用する場合、上述したように複数台の無線機を使用することがある。この場合、無線機を所持する各ユーザは、他の無線機のＩＤ及び名称を自己の無線機に登録しておく必要がある。なぜなら、登録しておくことで、他の無線機からの呼び出しがあった場合に何れの無線機（ユーザ）からの呼び出しであるかを容易に認識するためである。なお、ＩＤは無線機固有の番号であり、名称はユーザが任意に設定可能である。
【０００４】
従って、ユーザは各無線機のＩＤ及び名称を登録する煩雑な作業が必要となる。例えば、１００台の無線機で構成される１つのグループに新たな無線機を１台導入する場合について想定する。このとき、新たな無線機のユーザは、１００台分のＩＤ及び名称を登録する作業が必要となる。これでは新たに無線機を導入した時点から、既存の無線機と同様の操作性による利用は困難となる。
【０００５】
このような問題を改善するべく、ユーザが登録作業をしなくとも受信側の無線機に送信側の無線機の名称が記憶され、表示される装置が開示されている（特許文献１参照）。
【０００６】
特許文献１に記載の装置によれば、送信側の無線機が受信側の無線機にＩＤ及び名称を含む情報を送信する。そして、受信側の無線機は当該情報を受信すると、受信した名称を記憶部に記憶するとともに表示部に表示する。また、無線機が相互に通信を確立した場合に相手の無線機の名称が自動的に登録される。よって、ユーザは登録の際の煩雑な作業を要しない。
【特許文献１】特開２００１−８２６０号公報
【発明の開示】
【発明が解決しようとする課題】
【０００７】
しかし、特許文献１に記載の発明によれば、受信側の無線機が自動的に登録する名称は受信側の無線機を呼び出した送信側の無線機の名称だけである。つまり、受信側の無線機は１台分の無線機の名称だけしか登録することはできない。よって、例えば１００台からなる１のグループに新たに無線機を導入する場合、当該新たに導入した無線機のユーザは、呼び出しを受けた無線機以外の９９台分の名称については登録作業が必要となる。又は、相互に通信を確立する必要がある。これでは、結局のところ新たに導入した無線機を他の無線機と同様に即時利用することができない。
【０００８】
本発明の課題は、複数の無線機の名称を自動的に登録し、表示し得る無線機を提供することである。
【課題を解決するための手段】
【０００９】
請求項１に記載の発明によれば、
メッセージ情報の送信を行う送信手段と、
一又は複数の無線機固有のＩＤ情報及び当該ＩＤ情報に対応した名称情報を含む登録情報を生成し、当該登録情報を前記メッセージ情報に含ませて前記送信手段により送信させる制御手段と、
を備える無線機が提供される。
【００１０】
請求項２に記載の発明によれば、
送信元無線機から送信されたメッセージ情報を受信する受信手段と、
前記受信したメッセージ情報を記憶する記憶手段と、
表示手段と、
前記記憶手段から受信したメッセージ情報を読み出し、当該読み出したメッセージ情報内に、一又は複数の無線機固有のＩＤ情報及び当該ＩＤ情報に対応した名称情報が含まれている場合に、前記送信元無線機の名称を前記表示手段に表示させる制御手段と、
を備える無線機が提供される。
【００１１】
請求項３に記載の発明によれば、請求項２に記載の発明において、
前記制御手段は、前記記憶手段に予め記憶されている前記メッセージ情報に代えて、前記受信手段を介して受信した前記メッセージ情報を記憶する無線機が提供される。
【００１２】
請求項４に記載の発明によれば、
メッセージ情報の送信を行う送信手段と、
一又は複数の無線機固有のＩＤ情報及び当該ＩＤ情報に対応した名称情報を含む登録情報を生成し、当該登録情報を前記メッセージ情報に含ませて前記送信手段により送信させる第１の制御手段と、
送信元無線機から送信されたメッセージ情報を受信する受信手段と、
前記受信したメッセージ情報を記憶する記憶手段と、
表示手段と、
前記記憶手段に予め記憶されている前記メッセージ情報に代えて、前記受信手段を介して受信した前記メッセージ情報を記憶するとともに、前記記憶手段から受信したメッセージ情報を読み出し、当該読み出したメッセージ情報内に、一又は複数の無線機固有のＩＤ情報及び当該ＩＤ情報に対応した名称情報が含まれている場合に、前記送信元無線機の名称を前記表示手段に表示させる第２の制御手段と、
を備える無線機が提供される。
【発明の効果】
【００１３】
本発明によれば、受信側の無線機は呼び出している無線機の名称のみならず、その他の無線機の名称についても１度の通信により記憶部に記憶することができる。よって、ユーザは煩雑な登録作業を必要とされない。また、新たな無線機はグループ内における既存の無線機と同様の操作性による利用が可能となる。
【発明を実施するための最良の形態】
【００１４】
以下、本発明に係る無線機及び無線通信システムの最適な実施形態の構成及び動作について、図面を用いて詳細に説明する。
【００１５】
まず、図１に本実施形態における無線通信システム１００の全体図を示す。
無線通信システム１００は、無線機１０、無線機２０によって構成される。無線機１０は、グループＡに属する無線機であり、無線機１０はグループＡ内にある他の無線機群１０１のＩＤ及び名称の全てを登録している。一方、無線機２０はグループＡに新たに導入する無線機であって、グループＡに属する無線機１０及び無線機群１０１の各名称の登録が予定されている。また、図１では、無線機１０から無線機２０へメッセージ情報を送信するに際して、登録情報を付加させて送信している様子を示している。
【００１６】
図２に、無線機１０から無線機２０へ送信されるメッセージ情報の構成図を示す。
図２の上段は、無線機１０から無線機２０へ送信される情報の全体構成ａを示している。送信される情報は複数のフレームに分割して送信され、各フレームは登録情報及びメッセージ情報で構成される。
【００１７】
同図の中段は、そのフレームの構成ｂについて示している。なお、登録情報はＩＤ情報及び名称情報であり、メッセージ情報は音声のみならず、録音データ等のユーザが使用したいサービスに関する情報を含むものである。
【００１８】
同図の下段は、上述した登録情報が管理する無線機のＩＤ及び名称を模式的に一覧表ｃとして示したものである。複数の「ＩＤ」は、無線機１０及び無線機群１０１の各ＩＤを示している。また、「名称」も同様に無線機１０及び無線機群１０１の各名称を示している。ＩＤと名称とは互いに対応付けられており、ＩＤ及び名称は一つの無線機に対して一組定められている。なお、ユーザは名称をＩＤよりも認識し易い表示として任意に設定可能である。
【００１９】
図３に、送信用として機能する場合の無線機１０の機能的構成を示す。
無線機１０は、入力部１１、制御部１２、記憶部１３、通信部１４、アンテナＡＮＴによって構成されている。
【００２０】
入力部１１は、ユーザが音声を入力する際に押下するキーボタン１１ａ及び音声が入力されるマイク１１ｂを備える。キーボタン１１ａが押下された状態でユーザがマイク１１ｂへ音声を入力すると、入力部１１は当該入力された音声を音声信号として制御部１２へ出力する。
【００２１】
制御部１２は、無線機能状態管理部１２ａ、音声入力制御部１２ｂ、送信登録情報管理部１２ｃ、フレーム管理部１２ｄによって構成されている。
【００２２】
無線機能状態管理部１２ａは、入力部１１からの入力の有無を管理し、入力があった場合に無線機の機能を制御する。具体的には、ユーザからキーボタン１１ａが押下されると、無線機能状態管理部１２ａはユーザからの音声を取得可能とするように音声入力制御部１２ｂに指示する。また、同時に、送信登録情報管理部１２ｃに対して無線機のＩＤ及び名称に関する情報（後述する「名称管理情報」）を記憶部１３から取得するように指示する。
【００２３】
音声入力制御部１２ｂは、無線機能状態管理部１２ａからの指示を受けて、マイク１１ｂの機能を有効にする。そして、マイク１１ｂから入力されるユーザの音声を取得してメッセージ情報を生成する。その後、音声入力制御部１２ｂは、生成したメッセージ情報をフレーム管理部１２ｄへ出力する。
【００２４】
送信登録情報管理部１２ｃは、無線機能状態管理部１２ａからの指示を受けて、登録情報の生成に必要な名称管理情報１３ａを記憶部１３から取得する。その後、送信登録情報管理部１２ｃは取得した名称管理情報１３ａから登録情報を生成し、生成した登録情報をフレーム管理部１２ｄへ出力する。
【００２５】
フレーム管理部１２ｄは、メッセージ情報に登録情報を含ませる処理を行う。具体的には、フレーム管理部１２ｄは、当該処理により、メッセージ情報及び登録情報を同一フレームに格納する（図２のｂ参照）。なお、上述したように、メッセージ情報は音声入力制御部１２ｂから出力され、登録情報は送信登録情報管理部１２ｃから出力される。
フレーム管理部１２ｄは、フレーム化したメッセージ情報を通信部１４へ出力する。
【００２６】
記憶部１３は、図示しない不揮発性メモリ等を備えて構成される。不揮発性メモリは、制御部１２が実行する各種制御プログラム、設定データ等を格納する。また、記憶部１３は名称管理情報１３ａを格納する。名称管理情報１３ａについては、図２のｃで説明したとおりである。
【００２７】
通信部１４は、制御部１２から出力されたメッセージ情報に対して変調処理等を施した後、アンテナＡＮＴを介して当該メッセージ情報を送信する。
以上が、送信用の無線機として機能する無線機１０の各構成部についての説明である。以下、無線機１０から送信されたメッセージ情報を受信する無線機２０についての各構成部について説明する。
【００２８】
図４に、受信用として機能する場合の無線機２０の機能的構成を示す。
無線機２０は、アンテナＡＮＴ、通信部２１、制御部２２、記憶部２３、スピーカ２４、表示部２５によって構成されている。
【００２９】
通信部２１は、アンテナＡＮＴを介してメッセージ情報を受信する。なお、ここで受信するメッセージ情報は、上述したように、フレーム化されたメッセージ情報である。通信部２１は、受信したメッセージ情報に対して復調処理等を施した後、制御部２２へ当該メッセージ情報を出力する。
【００３０】
制御部２２は、受信フレーム管理部２２ａ、受信登録情報管理部２２ｂ、受信音声制御部２２ｃ、表示制御部２２ｄによって構成される。
【００３１】
受信フレーム管理部２２ａは、通信部２１から出力されたメッセージ情報を１フレーム単位に分割する処理を行う。フレームごとに分割した後、当該分割したフレーム単位の情報を受信登録情報管理部２２ｂへ出力する。
【００３２】
受信登録情報管理部２２ｂは、受信フレーム管理部２２ａから出力されたフレーム単位のメッセージ情報のうち、登録情報に基づいて自端末への呼び出しであるか否かを判断する。自端末への呼び出しであると判断した場合には、スピーカの制御及び呼び出し先の名称の表示制御を後術する各制御部へ指示する。
また、受信登録情報管理部２２ｂは、受信した登録情報に基づき記憶部２３が記憶する名称管理情報２３ａの更新処理を行う。
【００３３】
受信音声制御部２２ｃは、受信登録情報管理部２２ｂからの指示に従い、スピーカ２４の制御を行う。
表示制御部２２ｄは、受信登録情報管理部２２ｂからの指示に従い、表示部２５の表示制御を行う。
【００３４】
記憶部２３は、図示しない不揮発性メモリ等を備えて構成される。不揮発性メモリは、制御部２２が実行する各種制御プログラム、設定データ等を格納する。また、記憶部２３は名称管理情報２３ａを格納する。
【００３５】
スピーカ２４は、受信音声制御部２２ｃからの制御により音声を出力する。
表示部２５は、ＬＣＤであって、表示制御部２２ｄの制御により各種表示データを表示する。また、表示部２５は、無線機１０又は無線機群１０１の名称を表示する。
【００３６】
次に、図５及び図６を参照して、無線機１０及び無線機２０の通信動作について説明する。
図５は、無線機１０が無線機２０へメッセージ情報を送信する動作について示している。
【００３７】
制御部１２は、入力部１１からメッセージ情報を送信するように指示入力がなされると、当該指示入力を検出して送信処理を開始する（ステップＳ１）。なお、送信処理は、メッセージ情報の生成及び登録情報の生成とに大別される。以下、これらの情報の処理について説明する。
【００３８】
制御部１２は、メッセージ情報の生成処理を行う（ステップＳ２）。メッセージ情報の生成処理では、ユーザが発した音声を変調処理等して送信可能な情報とする処理が行われる。また、制御部１２はメッセージ情報の生成処理において、メッセージ情報をフレームごとに生成する（図２のａ参照）。
【００３９】
次に、制御部１２は、登録情報を生成するに際して名称管理情報１３ａから送信先の無線機の名称、つまり無線機２０の名称を検索する（ステップＳ３）。
【００４０】
制御部１２は、検索した結果、名称管理情報１３ａに無線機２０の名称が登録されていると判断した場合（ステップＳ４；Ｙｅｓ）、無線機２０のＩＤ及び名称を含む登録情報を生成する。登録情報の生成に際しては、制御部１２が記憶部１３に格納するプログラムと協働して行う。
制御部１２は、名称管理情報１３ａから自端末及び無線機群１０１のＩＤ及び名称を抽出して登録情報を生成し、生成した登録情報をメッセージ情報に含ませてフレーム化する（ステップＳ５）。
【００４１】
一方、制御部１２は、名称管理情報１３ａに無線機２０の名称が登録されていないと判断した場合（ステップＳ４；ＮＯ）、無線機２０を識別するものとしてはＩＤだけとする登録情報を生成する。そして、生成した登録情報をメッセージ情報に含ませてフレーム化する（ステップＳ６）。
【００４２】
制御部１２は、通信部１４及びアンテナＡＮＴを介して、フレーム化したメッセージ情報を送信する（ステップＳ７）。なお、制御部１２は、図２のａのフレーム化された一連のメッセージ情報を入力部１１から送信終了の指示入力がなされるまで繰り返し送信する。
【００４３】
入力部１１により送信終了の指示入力がされなければ（ステップＳ８；ＮＯ）、制御部１２は送信を継続する。
入力部１１により送信終了の指示入力がされると（ステップＳ８；ＹＥＳ）、制御部１２は当該指示入力を検出し、メッセージ情報の送信動作を終了する。
【００４４】
以上のように、制御部１２はメッセージ情報を送信する際にメッセージ情報のみならず登録情報を生成する。そして、生成した登録情報をメッセージ情報に付加させて送信する。登録情報には、自端末のＩＤ及び名称の他に複数の無線機のＩＤ及び名称が含まれている。これにより、送信側は受信側と通信しながらにして、自端末以外の無線機のＩＤ及び名称を受信側へ提供することが可能である。
【００４５】
次に、上述してきた送信動作によって、送信されたメッセージ情報を受信した際の動作について説明する。
図６は、無線機２０が無線機１０からメッセージ情報を受信する際の動作について示している。
【００４６】
制御部２２は、通信部２１及びアンテナＡＮＴを介してメッセージ情報を受信する（ステップＳ１１）。なお、このメッセージ情報は、登録情報を含むものであって、フレーム化されたものである（図５；ステップＳ５，Ｓ６参照）。
【００４７】
制御部２２は、受信したメッセージ情報が自端末宛のメッセージ情報であるか否かを判断する（ステップＳ１２）。自端末宛か否かの判断は、受信した登録情報に含まれている「無線機２０のＩＤ及び／又は名称」が、自端末のＩＤと同一であるか否かにより行われる。
【００４８】
制御部２２は、受信したメッセージ情報が自端末宛のメッセージ情報ではないと判断すると（ステップＳ１２；ＮＯ）、次に、受信した登録情報から無線機１０の名称が含まれているか否かを判断する（ステップＳ１３）。
【００４９】
受信した登録情報に無線機１０の名称が含まれている場合（ステップＳ１３；ＹＥＳ）、制御部２２は自端末の名称管理情報２３ａの更新処理を行い（ステップＳ１４）、受信動作を終了する。更新は、受信した登録情報が名称管理情報２３ａに上書きされることにより行われる。
一方、無線機１０の名称が含まれていない場合（ステップＳ１３；ＮＯ）、制御部２２は受信動作を終了する。
【００５０】
ステップＳ１２に戻り、制御部２２は、受信したメッセージ情報が自端末宛のメッセージ情報であると判断すると（ステップＳ１２；ＹＥＳ）、受信したメッセージ情報の処理を行う。具体的には、制御部２２は受信したメッセージ情報が音声に関するものであればスピーカ２４により当該音声を出力し、また、録音等のデータであれば各種プログラムにより記憶、再生等を行う。
【００５１】
制御部２２は、メッセージ情報の処理を行うとともに、受信したメッセージ情報から登録情報を抽出し、当該登録情報にある無線機１０のＩＤを検索する（ステップＳ１６）。
そして、制御部２２は、検索により無線機１０のＩＤを特定すると、当該ＩＤに対応付けられている無線機１０の名称があるか否かを判断する（ステップＳ１７）。
【００５２】
制御部２２は、無線機１０のＩＤに対応付けられた名称があると判断した場合（ステップＳ１７；ＹＥＳ）、自端末の名称管理情報２３ａを更新する（ステップＳ１８）。
【００５３】
制御部２２は、更新した名称管理情報２３ａから無線機１０の名称を抽出し、表示部２５に表示することにより（ステップＳ１９）、受信動作を終了する。
【００５４】
ステップＳ１７に戻り、制御部２２は、無線機１０のＩＤに対応付けられた名称がないと判断すると（ステップＳ１７；ＮＯ）、次に、自端末の名称管理情報２３ａに無線機１０のＩＤ及び名称が登録されているか否かについて判断する（ステップＳ２０）。
【００５５】
名称管理情報２３ａに無線機１０のＩＤ及び名称が登録されていれば（ステップＳ２０；ＹＥＳ）、制御部２２は当該名称を表示部２５に表示して（ステップＳ１９）、受信動作を終了する。
【００５６】
一方、名称管理情報２３ａに無線機１０のＩＤに対応付けられた無線機１０の名称が登録されていない場合（ステップＳ２０；ＮＯ）、制御部２２は無線機１０のＩＤを表示部２５に表示して（ステップＳ２１）、受信動作を終了する。
【００５７】
以上のように、本実施形態によれば、無線機１０は無線機２０にメッセージ情報を送信するに際して、登録情報をメッセージ情報に含ませて送信する。登録情報は、無線機１０のＩＤ及び名称を含むものである。また、無線機１０だけでなく、その他の無線機群１０１のＩＤ及び名称も含まれる。これにより、無線機１０は無線機２０に対して１度の通信により複数の無線機のＩＤやその名称についての情報を提供することができる。
【００５８】
一方、無線機２０は、無線機１０から送信されるメッセージ情報を受信することで、メッセージ情報に含まれる登録情報も受信する。上述したように、登録情報には複数の無線機のＩＤ及び名称が含まれる。よって、無線機２０は無線機１０と通信を行うことにより、無線機群１０１のＩＤ及び名称を取得することができる。これにより、ユーザは無線機２０において無線機の名称を登録する煩雑な作業をする必要がない。
【００５９】
また、無線機１０及び無線機群１０１から構成されるグループＡに、無線機２０を新たに導入する場合、無線機２０はグループＡの何れかの無線機と通信することによりグループＡの全ての無線機のＩＤ及び名称を取得することが可能である。よって、既存の無線機で構成されるグループに新規な無線機を導入する場合、新規な無線機において導入後の登録作業は不要であり、即時利用が可能である。
【図面の簡単な説明】
【００６０】
【図１】無線通信システムの一例を示す図である。
【図２】メッセージ情報の構成図である。
【図３】送信用として機能する場合の無線機の機能ブロック図である。
【図４】受信用として機能する場合の無線機の機能ブロック図である。
【図５】送信用として機能する場合の無線機の送信動作について説明するフローチャートである。
【図６】受信用として機能する場合の無線機の受信動作について説明するフローチャートである。
【符号の説明】
【００６１】
１０、２０      無線機
１１、２１      通信部
１２、２２      制御部
１３、２３      記憶部
１３ａ、２３ａ  名称管理情報
【図１】
2009010631.tif 000003
【図２】
2009010631.tif 000004
【図３】
2009010631.tif 000005
【図４】
2009010631.tif 000006
【図５】
2009010631.tif 000007
【図６】
2009010631.tif 000008